(57)【要約】【課題】本発明は、シャッタ機構の配設スペースが小さく、かつ、挿抜が容易なシャッタ機構を提供する。【解決手段】本発明によれば、媒体を挿入／抜去する口がある機構ユニットが着脱される電子機器において、機構ユニットの挿抜と連動してその開口を塞ぐことが可能なシャッタに、シャッタ開角度を任意に定めることの出来るカムと、それによりシャッタが開いた際に媒体出入口へ顧客操作を誘導させる受台となる機能を付加することで、使用者の媒体挿抜を助ける。【選択図】  図１
2005004294.tif 000002
【特許請求の範囲】
【請求項１】
挿入／抜去する口がある機構ユニットが着脱される電子機器には、機器の口が外に露出する開口と、その開口に回転可能なシャッタを設け、開いた時に受台となり、その回転は機構ユニットの挿抜と連動することを特徴とする電子機器。
【発明の詳細な説明】
【０００１】
【発明の属する技術分野】
本発明は、各種現金自動取引装置や自動発券機等の自動機における通帳やカード、発券等を挿入・排出する媒体出入口の機構に関するものである。
【０００２】
【従来の技術】
以降は例として、前記現金自動取引装置（以下ＡＴＭと略称する）等の各種カードおよび通帳の挿入口について述べる。
【０００３】
図３はＡＴＭの構成の概要を示す。ＡＴＭでは、顧客は筐体正面よりカードや通帳等各種情報媒体を取り扱う。その各種情報媒体を挿入・排出する媒体処理ユニット（以下ユニットと略称する）は筐体に内蔵されている。ユニットは時折、保守点検や記録用紙等消耗品の補充を必要とすることがある。
【０００４】
ユニットの保守点検や記録用紙補充の際は、装置後面にいる保守員が装置後面側へユニットを引出し、作業を行う。このときユニットが引出されたことによって、ユニット出入口に筐体開口部が生じてしまう。
【０００５】
筐体開口部をそのままにしておくと、顧客が所定の処理操作以外で媒体を誤挿入してしまう等、誤操作を引き起こしてしまう。また、ユニットの保守・補充が終わり、保守員が元のユニット収納位置へユニットを押出す際に、反対面に位置する顧客にけがを負わせる危険性がある。
【０００６】
そのため、顧客の安全を高めるために、筐体開口部をふさぐシャッタ機構が設けられるのが通例である。
【０００７】
ところが、筐体開口部をふさぐための機構は、構造が複雑となり、配設スペースが大きく、かつ高価になるという問題が生じる。
【０００８】
図２は特開平６−２２３２５８号公報の媒体出入口のシャッタ構造である。以下、構成の概要を説明する。
【０００９】
図２（Ａ），（Ｂ）に示すように、筐体開口部６を開閉する開閉面１６と、それを開方向に回動させる作動面２５が装置筐体の側面から見て山形状に成形したシャッタ７がある。シャッタ７は軸部２０に取付けられたスプリング２７等の付勢部材により、開閉面１６が筐体開口部６に対して常に閉じようとしながら筐体開口部６の内側にある軸に取付けられている。
【００１０】
装置筐体１内部の正規位置にユニットを収納した時には、図２（Ａ）に示すようにユニットの前面側より突き出た媒体挿入ガイド１５がシャッタ７の作動面２５に接触する。その後、ユニットの押圧が上記付勢部材の弾性に打ち勝つと、上記シャッタ７の開閉面１６が下方へ回動して筐体開口部６が開く。同時に、媒体挿入ガイド１５の先端が筐体前面パネル５より突出する。
【００１１】
次に、上記ユニットを装置筐体後方へ引出す時には、図２（Ｂ）に示すように作動面２５に対する媒体挿入ガイド１５の押圧が無くなる。すると付勢部材の弾性によりシャッタ７が上方に回動して閉ストッパ部２２により所定位置で停止する。また、開閉面２５により筐体開口部６を自動的に閉鎖する。
【００１２】
上記文献に記載された方法では以下の問題点が挙げられる。
【００１３】
筐体開口部６が大きくなるとシャッタ７が大きくなり、シャッタ配設場所をとってしまう。さらに大きなシャッタを開閉するために、媒体挿入ガイド１５の長さが必要になる。
【００１４】
また、これまで媒体出入口へ顧客操作を誘導させるような受台構造はない。媒体挿入ガイド側に受台を設けようとすると媒体挿入ガイドを長くする必要があり、干渉を避けるために筐体構造が複雑になってしまう。
【００１５】
【特許文献１】
特開平６−２２３２５８号公報
【００１６】
【発明が解決しようとする課題】
上記の問題を解決するために、開口部が大きくなっても短い媒体挿入ガイド長さで大きなシャッタが開閉でき、さらにそのシャッタによって使用者の媒体挿抜を助ける構造を提供する。
【００１７】
【課題を解決するための手段】
本発明は、媒体を挿入／抜去する口がある機構ユニットが着脱される電子機器において、機構ユニットの挿抜と連動してその開口を塞ぐことが可能なシャッタに、シャッタ開角度を任意に定めることの出来るカムと、それによりシャッタが開いた際に媒体出入口へ顧客操作を誘導させる受台となる機能を付加することで、使用者の媒体挿抜を助ける。
【００１８】
【発明の実施の形態】
以下、この発明に係わる媒体出入口のシャッタ構造の実施形態を図面に基づき説明する。
【００１９】
図３はＡＴＭを示す。以下、ＡＴＭを例に構成の概要を説明する。
【００２０】
ＡＴＭには、装置筐体１前面手前にある操作パネル２や各種現金・硬貨ユニットの他に、筐体右上にカードユニット３、筐体左上に通帳プリンタユニット４が内蔵されている。
【００２１】
各ユニットは保守点検や消耗品交換の際に、顧客が操作する面と反対の面である後面方向へと引出され、保守・交換作業が行われる。作業が終了すると、筐体内に収納されていた所定の位置まで押入れられる。ユニットの出し入れが行われる間、装置筐体前面には顧客が、後面には保守員が立つ。
【００２２】
ユニットが引出されると、ユニットがあった部分は空洞となり、筐体前面パネル５には筐体開口部６（図では見えない）ができる。そのため筐体開口部付近には、顧客の誤操作防止や安全を確保するために筐体開口部をふさぐ、シャッタ７（図では見えない）がある。
【００２３】
以下はカードユニット３を例に説明する。図１は本実施例のシャッタが開状態のときに側面から見た模式図を示す。
【００２４】
カードユニット３はＡＴＭ装置筐体１の右上部分に内蔵されている。磁気カード８等の各種カード媒体の読取り・書取りができ、ＡＴＭでの取引の明細書９を発行することができる。
【００２５】
カードユニット３の前面部には、磁気カード８を取り込むカード挿抜口１０がある。カード挿入口のさらに前面に、カードを挿入しやすくするためのカードガイド１１がある。カードガイド１１の断面形状は凹字である。これは、顧客がカードを挿入するとき自然に、カード挿入方向に対して左右のずれをなくし、カード挿抜口１０の高さにカード位置を合わせるという機能を持つ。
【００２６】
カードユニット３の上部には、取引の明細書９を印刷するプリンタ１２が内蔵されている。
【００２７】
プリンタ１２によって印刷された明細書９は、紙詰まり等を防止する明細書搬送ガイド１３を通って、カードガイド１１上部の明細書受取口１４に搬送される。
【００２８】
顧客が磁気カード８と明細書９を同時に受取れるよう、カードユニット３の媒体挿入ガイド１５はカード挿抜口１０と明細書搬送ガイド１３が上下に並び一体化している構造になっている。そのため、カードガイド１１の長さに対し、媒体挿入ガイド１５の高さは大きくなっている。さらに意匠上、媒体挿入ガイド１５がどこにあるのかが簡単に目視したり触れたりしてわかるよう、筐体前面パネル５の前面に媒体挿入ガイド１５が突出している構造となっている。
【００２９】
図４は本実施例のシャッタが閉状態のときに側面から見た模式図である。
【００３０】
カードユニット３が後方に引出された際には、筐体右上部に目立つ筐体開口部６ができる。それをふさぐためのシャッタ７は筐体前面パネル５にある。筐体前面パネル５側にシャッタ７を設けたのは、筐体前面からも整備ができるよう、筐体前面上部にあるヒンジを軸に、筐体前面パネル５が筐体前面上方向に回転して、筐体前面を開放できる構造にするためである。
【００３１】
次に、シャッタ７について説明する。
【００３２】
図１に示すようにシャッタ７が開状態のときには、シャッタ７に配接してカードユニット３の媒体挿入ガイド１５がある。
【００３３】
図１より、シャッタ７には、筐体開口部６をふさぐためのシャッタ部１７と、使用者の媒体挿抜を容易にするための受台部１８、シャッタ７が任意の角度で制止するように調節するためのカム部１９、シャッタ７を開閉させる回転の軸となる軸部２０がある。
【００３４】
シャッタ部１７には、シャッタ開時にシャッタの意匠となるシャッタ意匠面２１と、閉時に筐体開口部６を正確にふさぐようにシャッタ７の回転を止める閉ストッパ部２２（図では見えない）がある。シャッタ意匠面２１はシャッタ７と媒体挿入ガイド１５が一体であるような外見にしてある。このことによって意匠上の違和感を無くすことができる。また、シャッタ７の大きさは、シャッタ閉時に筐体開口部６が隠れる大きさにしてある。
【００３５】
図５は本実施例のシャッタおよび媒体挿入ガイドの斜視図を示す。図１と図５より、受台部１８には、顧客の媒体挿抜をし易くするための操作部２３、顧客を媒体出入口へと誘導する誘導面２４がある。操作部２３は、カードガイド１１上の磁気カード８の下底面より下方へ顧客の指が入るようにして、操作性を向上させるものである。シャッタ部１７を、カードガイド１１上の磁気カード８の下底面から下方向へ２０ｍｍ程度、カード挿抜口１０中心から左右５０ｍｍ程度切欠いてある。ここでは、カード挿抜口１０が媒体挿入ガイド１５中央付近にあるので、媒体挿入ガイド１５にも同様の切欠きを設けた。誘導面２４は受台部１８から媒体挿入ガイド１５まで続く段差形状である。顧客がその段差に沿って手や指を触れていくと、カード挿抜口１０やカードガイド１１を触れられるようになっている。
【００３６】
カム部１９には、シャッタ７とカードユニット３とが接した際、シャッタ回転を任意角度で制止させる作動面２６がある。ここでは、筐体前面から整備を行うために筐体前面パネル５を前面上方へと回動させる際に、筐体前面パネル５と媒体挿入ガイド１５が干渉しない最小の円弧（ただし公差は考慮する）に正接な面で、かつ媒体挿入ガイド１５の下底部形状に正接する面を、作動面２５としている。また、作動面２５には突起を設け、顧客が誤って媒体挿入ガイド１５とシャッタ７の間に磁気カード８を挿入してしまった際には、磁気カード８が突起に当たり、わかるようにしてある。
【００３７】
軸部２０には、シャッタ７を支える回転軸部材２６の他、常にシャッタ７を閉方向へ回転させる力を加えているスプリング２７がある。回転軸部材２６の位置は、カードユニット３に近づける方がカードユニット３の動きに追随し易くなるので望ましい。しかし、ここでは前述した筐体前面パネル５の回動によるカードユニット３とシャッタ７の干渉を避けるため、作動面２５よりも下方に位置させている。
【００３８】
図４はカードユニット３を装置筐体１の後方へ引出した図である。図４に示すように作動面２５に対する媒体挿入ガイド１５の押圧が無くなると、スプリング２７の弾性によりシャッタ７が自動的に上方に回動する。予め筐体前面パネル５側に設けられているストッパ受け部２８とシャッタの閉ストッパ部２２が接することで、所定位置でシャッタ回動が停止する。この時、筐体開口部６がシャッタ７によって閉鎖された状態となる。
【００３９】
図１はカードユニット３を装置筐体１内部の所定位置に収納した図である。装置筐体１内部から引出されたカードユニット３を所定の収納位置に押入れると、カードユニット３の前面側より突き出た媒体挿入ガイド１５がシャッタのカム部作動面２５に接触する。そのままカードユニット３を押し入れると、その後の押圧がシャッタ軸部スプリング２７の弾性に打ち勝ち、シャッタ７が下方へ回動し始める。筐体開口部６が開放されるとともに、媒体挿入ガイド１５の先端が筐体前面パネル５より突出する。
【００４０】
次に本発明の他の実施例について説明する。
【００４１】
まず、媒体挿入ガイド１５長さが短い場合のシャッタ７について説明する。これは、媒体挿入ガイド１５の長さに比べ筐体開口部６長さが長い状態である。
【００４２】
一般的に、筐体開口部６が大きくなるとシャッタ７も大きくする必要がある。そこで従来方式ではシャッタ７が大きくなると、シャッタ７を押し開けるために媒体挿入ガイド１５を長くする必要がある。ところが、媒体挿入ガイド１５が長くなるとカードガイド１１も長くなる。
【００４３】
すると顧客は一旦、磁気カード８をカードガイド１１に置き、それをカード挿抜口１１へスライドさせて挿入することになる。また、特に磁気カード８と明細書９等、一つの媒体出入口から排出される複数の媒体は、媒体出入口から手前にスライドさせて別々に受け取ることになる。
【００４４】
また、従来構造で媒体挿入ガイド１５側にカード挿抜口１０へ顧客の操作を誘導させる受台部１８のような機能を持たせようとすると、媒体挿入ガイド１５の形状を変えなければならない。現状の媒体挿入ガイド１５よりも長くしたり、大きくしたりする必要がある。すると筐体前面パネル５を開閉する際に、媒体挿入ガイド１５が筐体前面パネル５と干渉するのを避けるため、筐体構造が複雑になってしまう。
【００４５】
ここで図６は、本実施例の媒体挿入ガイド長さが短い場合の側面模式図を示す。
【００４６】
本実施例のシャッタ７にはカム部１９が設けてあるので、作動面２５とシャッタ部１７に任意の角度を設定できる。すると少ない媒体挿入ガイド１５の突出で、シャッタ７を開けることができるようになる。また、媒体挿入ガイド１５が短くできることから、カード挿抜口１０近くで操作が行える点で、操作性が向上できる。さらに一つの媒体出入口から排出される。
【００４７】
複数の媒体を同時に受け取ることもでき、利便性も向上する。さらに、媒体挿入ガイド１５の長さに比べて筐体開口部６高さ寸法が大きくても、シャッタ７を適切な寸法にすることができるので、筐体開口部６をふさぐことができる。
【００４８】
本実施例ではシャッタ７に受台部１８を設けたことにより、カード挿抜口１０への操作誘導効果の他、媒体挿入ガイド１５の大きさを必要最小限にすることができ、媒体挿入ガイド１５が筐体前面パネル５と干渉するのを避ける筐体構造も簡単にできる。
【００４９】
最後に、誘導面２４の形状について説明する。シャッタの誘導面２４は、図５のような全体的なくぼみだけではない。誘導面上にある突起やくぼみ等、顧客が触れることで媒体出入口の方向が直感的にわかる形状を合わせて設けて、媒体出入口まで誘導できればよい。
【００５０】
図６の誘導面２４中央の意匠はその一例である。顧客がシャッタ７の端に指が触れた場合、すぐそばにある誘導面２４のくぼんだ形状にそって、誘導面２４中央部まで顧客の指を誘導する。次に誘導面２４中央部が比較的平らな形状であっても、中央部にある突起によって、顧客がカードガイド１１に触れるように促す。カードガイド１１まで誘導された顧客は、カード挿抜口１０を確かめ、カードを挿入することができる。
【００５１】
【発明の効果】
本発明は、シャッタ機構の配設スペースが小さく、かつ、挿抜が容易なシャッタ機構を提供することができる。
【図面の簡単な説明】
【図１】本実施例のシャッタが開状態の側面模式図。
【図２】従来のシャッタ構造を示す模式図。
【図３】ＡＴＭ装置筐体を示す斜視図。
【図４】本実施例のシャッタが閉状態の側面模式図。
【図５】本実施例のシャッタ部材の斜視図。
【図６】本実施例の媒体挿入ガイド長さが短い場合の側面模式図。
【符号の説明】
１…装置筐体、２…操作パネル、３…カードユニット、４…通帳プリンタユニット、５…筐体前面パネル、６…筐体開口部、７…シャッタ、８…磁気カード、９…明細書、１０…カード挿抜口、１１…カードガイド、１２…プリンタ、１３…明細書搬送ガイド、１４…明細書受取口、１５…媒体挿入ガイド、１６…開閉面、１７…シャッタ部、１８…受台部、１９…カム部、２０…軸部、２１…シャッタ意匠面、２２…閉ストッパ部、２３…操作部、２４…誘導面、２５…作動面、２６…回転軸部材、２７…スプリング、２８…ストッパ受け部。
【図１】
2005004294.tif 000003
【図２】
2005004294.tif 000004
【図３】
2005004294.tif 000005
【図４】
2005004294.tif 000006
【図５】
2005004294.tif 000007
【図６】
2005004294.tif 000008